(57)【要約】      （修正有）【課題】突張力付与による作業性を向上させる縦型介護用ポール装置を提供する。【解決手段】床面と天井面の間に設置されるポール１の上下端に各々固定具３０を設ける。天井固定具３０は、天井用台座３１に固定の筐体３２内に嵌められて上下方向に摺動するポール１に固定の摺動板３４と、その摺動板３４と天井用台座３１の間に介設されたコイルばね３３とから成る。摺動板３４は溝３４ａと突条３２ａの嵌り合う摺動によって昇降するため、その昇降は円滑であり、雑音も生じにくい。ポール１の下端の固定具のジャッキコマを回してポール１を上昇させてポールの上端（天井用台座３１）を天井面Ｃに圧接する。台座３１はばね３３の付勢力によって天井用台座３１が天井面に圧接する。ジャッキコマの上昇及びばね３３によってポール１が天井面と床面の間に突っ張り状態で設置される。【選択図】図７
0003215227.tif 000002
【実用新案登録請求の範囲】
【請求項１】
床面（Ｆ）と天井面（Ｃ）との間に設けられる縦型介護用ポール装置（Ａ、Ａ１）であって、
上記床面（Ｆ）に固定される床用台座（２１）と、上記天井面（Ｃ）に固定される天井用台座（３１）と、前記両台座（２１、３１）の間に設けられるポール（１）と、前記ポール（１）の下端を床用台座（２１）に固定する床固定具（２０）と、前記ポール（１）の上端を天井用台座（３１）に固定する天井固定具（３０）と、を備え、
上記天井固定具（３０）は、上記天井用台座（３１）に固定の筐体（３２）と、その筐体（３２）内に嵌められて上下方向に摺動するポール（１）に固定の摺動板（３４）と、その摺動板（３４）と天井用台座（３１）の間に介設されたコイルばね（３３）とから成り、前記摺動板（３４）と筐体（３２）の一方に前記摺動する上下方向の溝（３４ａ）が、他方にその溝（３４ａ）に嵌る突部（３２ａ）が形成され、前記摺動板（３４）は、前記突部（３２ａ）の溝（３４ａ）内の移動によって筐体（３２）内を上下方向に摺動するとともに、前記コイルばね（３３）を圧縮させてその弾力によって天井用台座（３１）を天井面（Ｃ）に圧接固定する縦型介護用ポール装置。
【請求項２】
上記床固定具（２０）は、上記床用台座（２１ａ）に植設されたボルト（２２）と、そのボルト上端部に固定されて上記ポール（１）の下部内に嵌め込まれる振れ止め用安定コマ（２７）と、上記ボルト（２２）の途中にねじ込まれて上記ポール（１）の下端を支持するジャッキコマ（２４、２４’）と、そのジャッキコマ（２４、２４’）の上記ポール（１）下端に対する回転を円滑にする受け板（２４ｂ）と、を有する請求項１に記載の縦型介護用ポール装置。
【請求項３】
上記ボルト（２２）の途中に回転不能の回転防止コマ（２５）を上下移動可能に設け、その回転防止コマ（２５）は、樹脂からなって上記受け板（２４ｂ）の機能を有し、かつビス（２５ｄ）がねじ込まれてそのビス（２５ｄ）のねじ込みによってビス先端が上記ポール（１）に圧接して一体になる請求項２に記載の縦型介護用ポール装置。
【請求項４】
上記ポール（１）が上下の２部材（１ａ、１ｂ）に分かれて、一方のポール部材（１ｂ）に他方のポール部材（１ａ）が出没自在に差し込まれて、その出没によって前記ポール（１）の長さが伸縮可能となっており、
その両ポール部材（１ａ、１ｂ）の伸縮部分に対の円環状半割のリング（１１）が嵌め込まれてボルト締結され、両半割リング（１１）の内面は、軸方向の途中に段差（１４）が形成されてその段差（１４）に一方のポール部材（１ｂ）が係止している請求項１乃至３の何れか１つに記載の縦型介護用ポール装置。
【請求項５】
上記ポール（１）の途中に手摺り（４０）が取り付けられ、その手摺り（４０）は、その手摺り（４０）に一体の対の円環状半割リング（４３）を前記ポール（１）に嵌めてボルト締結することによって取付られている請求項１乃至４の何れか１つに記載の縦型介護用ポール装置。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置に関するものである。
【背景技術】
【０００２】
従来、足の弱った人が椅子、ベッドや便器等から立ち上がるのを補助する介護装置として、天井面と床面の間に立設する縦型ポールが知られている。
その一例として、上下方向のポール４と、そのポール４の上端に取付けられる天井側アタッチメント５と、ポール下端に取付けられる床側アタッチメント６とを備えたものがあり、その天井側アタッチメント５とポール上端との間に弾性支持機構２００を設け、床側アタッチメント６とポール下端との間に突張力調整機構４００を設けている（特許文献１明細書段落００２０〜００６７、図１等参照）。
【０００３】
この縦型介護用ポール装置３は、ポール４を垂直にして天井側アタッチメント５を部屋の中央部などの適宜位置に位置決めし、床側アタッチメント６を床２に配置して天井面と床面の間に立設する。
その立設は、まず、床側アタッチメント６の突張力調整ボルト４２を引っ込めておき、突張力調整ボルト４２の頭部４１が床接触部材３１に接触されない状態としておく。
つぎに、床側アタッチメント６の突張力調整ボルト４２を回転させて、突張力調整ボルト４２を端部取付部材３２から突出させ、突張力調整ボルト４２の頭部４１を床接触部材３１の凹部３３へ嵌合させる。この状態は、ポール装置３の長さが天井１と床２との間隔とほぼ等しくなり、ポール４の下端が床接触部材３１によって軽く支持されることとなって、ポール４の位置が一応安定する。
【０００４】
この状態から、更に、突張力調整ボルト４２を回転して突出させると、ポール装置３の長さが天井１と床２との間隔よりも大きくなろうとして、ポール装置３に所要の突張力が発生する。その突張力を適宜に調整したら、ナット４３を締めて突張力調整ボルト４２を固定する。このとき、この突張力の反力により、天井側アタッチメント５内のコイルスプリング２４が収縮されてポール装置３の長さが天井１と床２との間隔とほぼ等しくされるとともに、コイルスプリング２４の弾力によって、ポール４の上端が天井１に、同下端が床２に押し付けられて両アタッチメント５、６間に固定される。両アタッチメント５、６は、天井１又は床２にビス止め等によって固定される。
【先行技術文献】
【特許文献】
【０００５】
【特許文献１】特開２０００−３１４２２０号公報
【考案の概要】
【考案が解決しようとする課題】
【０００６】
上記従来の天井側アタッチメント５は、天井取付部材９内に摺動部材１０をコイルスプリング２４を介して上下方向に移動自在に内装し、その摺動部材１０にポール４を連結した構成であり、上記のようにコイルスプリング２４によってポール４を天井と床の間に突っ張らせて、ポール４を取り付ける。
そのコイルスプリング２４が伸縮して摺動部材１０が昇降する際、その摺動部材１０が傾いて昇降が円滑でなかったり、雑音が発生したりする問題がある。
【０００７】
この考案は、以上の実状の下、上記摺動部材の昇降を円滑になされるようにすることを課題とする。
【課題を解決するための手段】
【０００８】
上記課題を達成するために、この考案は、上記摺動部材をガイドでもって天井取付部材９内を昇降するようにしたのである。
ガイドによって昇降が案内されれば、その昇降も安定して雑音も生じにくい。
【０００９】
この考案の具体的な構成は、床面と天井面との間に設けられる縦型介護用ポール装置であって、床面に固定される床用台座と、天井面に固定される天井用台座と、両台座の間に設けられるポールと、ポールの下端を床用台座に固定する床固定具と、ポールの上端を天井用台座に固定する天井固定具と、を備え、天井固定具は、天井用台座に固定の筐体と、その筐体内に嵌められて上下方向に摺動するポールに固定の摺動板と、その摺動板と天井用台座の間に介設されたコイルばねとから成り、摺動板と筐体の一方に前記摺動する上下方向の溝が、他方にその溝に嵌る突部が形成され、摺動板は、突部の溝内の移動によって筐体内を上下方向に摺動するとともに、コイルばねを圧縮させてその弾力によって天井用台座を天井面に圧接固定する構成としたのである。
この構成においては、溝と突部によって摺動板の昇降用ガイドが構成される。その溝と突部は、その一方を摺動板と筐体との一方に、他方を同他方に設ければよい。例えば、溝を筐体の内面、突部を摺動板の側面にそれぞれ設けたり、溝を摺動板の側面に、突部を筐体の内面にそれぞれ設けたりする。
【００１０】
この構成において、上記床固定具は、上記床用台座に植設されたボルトと、そのボルト上端部に固定されて上記ポールの下部内に嵌め込まれる振れ止め用安定コマと、ボルトの途中にねじ込まれてポールの下端を支持するジャッキコマと、そのジャッキコマのポール下端に対する回転を円滑にする受け板と、を有する構成等を採用することができる。
このように構成すると、ポールの下部は、安定コマとジャッキコマの二箇所で支持されるため、振れ難く安定した状態となる。その安定した状態において、ジャッキコマを回すことによってポールを進退させることができるとともに、受け板によってジャッキコマの回転を円滑になし得る。このため、突張力調整作業は円滑である。
この床固定具の構成において、上記ボルトの途中に回転不能の回転防止コマを上下移動可能に設け、その回転防止コマは、樹脂からなって上記受け板の機能を有し、かつビスがねじ込まれてそのビスのねじ込みによってビス先端が上記ポールに圧接（入り込む場合も含む）して一体になるようにすれば、ポールの回転を防止することができる。この場合、ポールが回転しないため、手摺り等を取り付けた時に安定性が良い等と有利である。
【００１１】
ポールは伸縮しない一本ものでも良いが、上下の２部材に分かれて、一方のポール部材に他方のポール部材が出没自在に差し込まれて、その出没によってポールの長さが伸縮可能となったものとすることができる。
このとき、その両ポール部材の伸縮部分に対の円環状半割のリングが嵌め込まれてボルト締結され、両半割リングの内面は、軸方向の途中に段差が形成されてその段差に一方のポール部材の端部が係止しているものとすることができる。このように、段差によって一方のポール部材を係止すれば、その一方のポール部材に半割リングが固定されるため、他方のポール部材が半割リングに対して安定して動き、かつ、対の半割リングのボルト締結によって両ポール部材を確実に固定し得る。
ポールには、従来と同様に、その途中に適宜形状の手摺りを取り付けることができる。このとき、その手摺りはその手摺りに一体の対の円環状半割リングを前記ポールに嵌めてボルト締結することによって取付けることができる。
【考案の効果】
【００１２】
この考案は、以上のように構成して、溝と突部によって摺動板の昇降案内をするようにしたので、その昇降が円滑であると共に、雑音が生じにくい。
【図面の簡単な説明】
【００１３】
【図１】この考案に係る縦型介護用ポール装置の一実施形態の概略正面図
【図２】図１の一部を示し、（ａ）は天井用台座部分の切断下面図、（ｂ）は床用台座部分の切断平面図
【図３】同実施形態のポール連結金具を示し、（ａ）は平面図、（ｂ）は正面図、（ｃ）は半割リングの正面図、（ｄ）は半割リングの斜視図
【図４】同実施形態の突張力調整機構（床固定具）を示す一部切断正面図
【図５】同部分解斜視図
【図６】図４のＶＩ−ＶＩ線切断面図
【図７】同実施形態の弾性支持機構（天井固定具）を示す切断正面図
【図８Ａ】同弾性支持機構のケーシング（筐体）を示し、（ａ）は斜視図、（ｂ）は平面図
【図８Ｂ】同弾性支持機構の摺動板を示し、（ａ）は斜視図、（ｂ）は平面図、（ｃ）は下面図
【図８Ｃ】ケーシング底板部分を示し、（ａ）は斜視図、（ｂ）は切断正面図
【図８Ｄ】同弾性支持機構のケーシングの天板を示し、（ａ）は斜視図、（ｂ）は下面図
【図９】同実施形態の一部拡大斜視図
【図１０】図９の手摺り取付部分を示し、（ａ）は平面図、（ｂ）は右側面図、（ｃ）は正面図
【図１１】同実施形態の肘掛け部分を示し、（ａ）は一部切断拡大正面図、（ｂ）は要部斜視図
【図１２】他の実施形態の概略正面図
【図１３】同実施形態の手摺り部分を示し、（ａ）は拡大斜視図、（ｂ）は締結金具の分解斜視図
【図１４】他の実施形態の突張力調整機構（床固定具）を示す一部切断正面図
【図１５】同部分解斜視図
【図１６】他の突張力調整機構（床固定具）を示す一部切断正面図
【図１７】他の実施形態の部分斜視図
【図１８】床用台座の他例を示し、（ａ）は一部切断正面図、（ｂ）は平面図
【図１９】床用台座のさらに他例を示し、（ａ）は一部切断正面図、（ｂ）は平面図
【図２０】天井用台座の他例を示し、（ａ）は取付状態の断面正面図、（ｂ）は同下面図
【考案を実施するための形態】
【００１４】
この考案に係る縦型介護用ポール装置の一実施形態を図１〜図１１に示し、この縦型介護用ポール装置Ａも、従来と同様に、床面Ｆと天井面Ｃの間に垂直（上下）に介設する。
その上下方向のポール１の下端に床面Ｆに固定する床用台座２１、上端に天井面Ｃに固定する天井用台座３１がそれぞれ設けられ、その各台座２１、３１に床固定具２０と天井固定具３０が設けられている。その床固定具２０が上記突張力調整機構を構成し、天井固定具３０が弾性支持機構を構成する。
【００１５】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される。
【００１６】
その接続締結金具１０は、図３に示すように、円筒状半割リング１１、１１の対からなり、その各リング１１の両側にはそれぞれフランジ１２、１２、１２、１２が設けられている。対向するフランジ１２には同一軸上の孔１３が形成されて、その一方がタッピングねじ孔となっている。半割リング１１は軸方向中程で肉薄となって段差１４が形成されている。
このため、この対の円筒状となった半割リング１１、１１に他方（下側）のポール部材１ｂを嵌めると、その段差１４にポール部材１ｂの上端が係止して、その上端に接続締結金具１０が取付けられる。接続締結金具１０は、対向するフランジ１２の一方の孔１３にボルト１５を差し込んで同他方の孔１３にねじ込むことによって両リング１１、１１が締まって（縮径して）接続締結機能を発揮する。ボルト１５のねじ込みに代えて、下記図９、図１０に示すボルト・ナット止めを採用し得る。
【００１７】
ポール１の長さ（両台座２１、３１の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材ｂに嵌め込んで所要の長さにした後、その嵌め込み状態で接続締結金具１０のボルト１５をねじ込んで行ったりする。
【００１８】
床固定具２０の台座２１は、図４、図５に示すように、鋼板製ベース板２１ａと、そのベース板２１ａの裏全面に張設された滑り止めシート（板）２１ｂとから成る。ベース板２１ａの形状は円形、楕円形、星形等と任意である。
ベース板２１ａの中心には全長に亘ってねじが形成されたボルト２２が溶接によって立設（植設）されており、そのボルト２２に、下部ロックナット２３、ジャッキコマとなるジャッキナット２４、回転防止コマ２５、上昇防止用ダブルナット２３ａ及び固定ナット２３ｂがねじ込まれている。
【００１９】
下部ロックナット２３はベース板２１ａにねじ込み圧接されてボルト２２をベース板２１ａに強固に一体化し、ダブルナット２３ａは回転防止コマ２５（ジャッキコマ２４）が必要以上に上昇するのを阻止して、天井が損傷されるのを防止する。
回転防止コマ２５は、ＭＣナイロン（６ナイロンと呼ばれるポリアミド樹脂）等の樹脂製であって、ボルト２２に上下動自在に嵌め込まれている。回転防止コマ２５の上面は円状凹部に形成されてこの凹部にポール部材１ｂの下端が嵌っている。回転防止コマ２５の外周等分位置（この実施形態では左右）に上下方向のガイド溝２５ａが形成されており、この溝２５ａに金属製四角棒材からなるガイド２５ｂが嵌っている。このガイド２５ｂは床固定具２０のベース板２１ａに溶接によって植設され、ベース板２１ａに溶接された補強片２５ｃによって補強されている。補強片２５ｃとガイド２５ｂも溶接して一体とする。
【００２０】
この構成によって、ジャッキナット２４がボルト２２に対して回転することによって昇降し、それに伴って回転防止コマ２５が昇降する。このため、回転防止コマ２５の上面に他方のポール部材１ｂの下端が当接して（嵌って）いることによって、ポール部材１ｂ（ポール１）も昇降する。この構成の実施形態では、請求項でいう受け板の機能は樹脂製の回転防止コマ２５が担っている。
【００２１】
回転防止コマ２５には埋め込みビス（イモネジ）２５ｄが周囲等間隔に設けられており（図６参照）、このビス２５ｄをねじ穴にねじ込んで、そのビス２５ｄの尖った先端をポール部材１ｂに圧接することによってポール部材１ｂと回転防止コマ２５が一体になる。この一体によって、回転防止コマ２５はガイド２５ｂを介して台座２１に固定のため、ポール部材１ｂ（ポール１）の回転が阻止される。ビス２５ｄの数は任意である。
【００２２】
ボルト２２の頂部にはＡＢＳ樹脂（アクリロニトリル、ブタジエン、スチレン共重合合成樹脂）製振れ止め用安定コマ２７がねじ込まれ、固定ナット２３ｂのねじ込みによってこの安定コマ２７はボルト２２に一体となっている。安定コマ２７は他方のポール部材１ｂ内に移動可能にぴったり嵌り込む（ポール部材１ｂ内径と安定コマ２７の外径はほぼ同一となっている。）。
【００２３】
このボルト２２、ジャッキナット２４等によって突張力調整機構が構成され、この突張力調整機構（床固定具）２０に円錐台筒状のＡＳＡ樹脂（アクリロニトリル・スチレン・アクリルゴム）製状カバー２８が被せられる。このカバー２８は他方のポール部材１ｂに嵌めてその軸方向に移動自在である。
【００２４】
天井固定具３０の台座３１は、図２（ａ）に示すように、鋼板製円形板からなる。この台座３１の上面（天井面Ｃに接する面）にも上記床用台座２１と同様の滑り止めシート（板）が貼着されている。
この台座３１の下面に図７、図８Ａ〜図８Ｄに示す弾性支持機構が構成されている。この弾性支持機構３０は、天板３２ｂを有する（有蓋の）円筒状ケーシング（筐体）３２内に構成されて、コイルばね３３、摺動板３４からなる。ばね３３の数は、図示の対の２個に限らず、複数の場合はポール１の軸心に対して対称位置とする。１つのコイルばね３３であれば、そのばね３３の中心とポール１の軸心を同じとする。
【００２５】
ケーシング３２はアルミニウム製の引き抜き品であって、円筒状を呈してその内面に上下方向の突条３２ａが形成されている（図８Ａ参照）。この実施形態では、突条３２ａは対の弧状突片を対向させたものであり、対の突片の内面によって下記の皿ねじ３２ｆのねじ込み面（孔）を形成する。
【００２６】
摺動板３４は少なくとも側面が滑性の高い樹脂からなり、この実施形態ではＰＯＭ（ポリアセタール）樹脂からなる。この摺動板３４はケーシング３２の内部円形状と同一の円板状であり、その周囲等間隔に溝３４ａを有している（図８Ｂ参照）。この溝３４ａにケーシング３２内面の上記突条３２ａが嵌る。この突条３２ａは、少なくとも摺動板３４が上下に移動する長さがあれば良い。摺動板３４に突条、ケーシング３２内面に溝を形成することもでき、このとき、溝は少なくとも摺動板３４が上下に移動する長さがあれば良い。溝３４ａ及び突条３２ａの数及び間隔は、摺動板３４の昇降を円滑に案内できる限りにおいて１つ、２つ、３つ等、及び非等間隔などと任意である。
【００２７】
摺動板３４の上面は適宜にリブ３４ｂが形成されて補強とともにばね座３４ｃが形成されている。
一方、摺動板３４の下面にはアルミニウム板製当て板３５が嵌められてボルト・ナット３６によって固定されている。その当て板３５下面の中央にはアルミニウム製無垢棒３７がボルト３７ａによって固定され、その無垢棒３７に一方のポール部材１ａの上端が嵌め込まれてビス３７ｂ止めされている（図８Ｃ参照）。
【００２８】
ケーシング３２の上面には図８Ｄに示す天板３２ｂが嵌って、その天板３２ｂは上記突条３２ａに透孔３２ｅを介して皿ビス３２ｆをねじ込むことによってケーシング３２に一体となっている。さらに、天板３２ｂは台座３１にビス３２ｇ止めされて、ボルト３８がねじ込まれている。このボルト（ナット）３８と底板（当て板）３５のボルト・ナット３６の間にコイルばね３３が介装されている。
【００２９】
なお、同図中、３９はＡＳＡ樹脂製カバーであり、このカバー３９、ケーシング３２は断面円形の箱状に限らず、断面方形等と任意であり、その材料も金属や樹脂に限定されない。このとき、ケーシング３２の断面形状に対応させてコイルばね３３の数や配置等を適宜に変更することは勿論である。
【００３０】
他方のポール部材１ｂの途中にその長さ方向にコ字状の手摺り４０や肘掛け５０等が設けられる。この手摺り４０は鋼パイプであったり、木製軸であったり、とその材質は任意である。手摺り４０と肘掛け５０の取付けはそのどちらか一方又は両方を適宜に選択する。
【００３１】
手摺り４０はその両端を締結金具（取付金具・接続金具）４１でポール部材１ｂに固定する。その締結金具４１は、図９、図１０に示すように、上記接続締結金具１０と同様に、対の円環状半割リング４３、４３と、一方の半割リング４３から横方向に突出した取付板４４とからなる。
半割リング４３の両側にはそれぞれフランジ４３ａが設けられている。対向するフランジ４３ａには同一軸上の透孔４５が形成されている。このため、この対の半割リング４３をポール部材１ｂに嵌め、対向する透孔４５にボルトを差し込んで袋ナット締め（ボルト・ナット４６締め）することによって両リング４３、４３が締まって（縮径して）この締結金具４１がポール部材１ｂに固定される。ボルト・ナット締めに代えて、一方の透孔４５をタップねじ孔として、上記接続締結金具１０のように、そのねじ孔へのボルト締めで両リング４３を締めても良い。一方、接続締結金具１０も同様なボルト・ナット止めとし得る。
【００３２】
手摺り４０の両端は円状取付板４７を有し、この取付板４７を締結金具４１の取付板４４にビス（ボルト）止めすることによって固定される。このボルト止めは、上記と同様に、一方がタップねじ孔となった両取付板４４、４７の孔にボルトを挿通してねじ込むことによって行う。この固定によって、締結金具４１を介して手摺り４０がポール部材１ｂ（ポール１）に取り付け固定される。前記ボルトのねじ込みに代えて、上記ボルト・ナット止めを採用し得る。両取付板４４、４７の間には接着剤を介在することができる。
【００３３】
肘掛け５０は、図１１に示すように、肘掛けアーム５１がベース５２に上下揺動可能に設けられている。そのベース５２の長方形状取付板５３を上記接続締結金具１０と同様の接続締結金具（取付金具）５４にビス止め固定することによってポール１（１ｂ）に取り付ける。この肘掛け５０の接続締結金具５４は、上下の対の円環状半割リング５５、５５、５６、５６と、一方の半割リング５５、５６から横方向に突出した長方形の取付板５７とからなる。
この接続締結金具５４を上下でポール１に取り付けるのは、肘掛け５０を安定して取り付けるためであり、一の対の円環状半割リング５５、５５又は５６、５６のみでも良い。この場合は、取付板５７の上下方向の中程に半割リングが位置するように設定する。
【００３４】
半割リング５５、５６の両側にはそれぞれフランジ５５ａ、５６ａが設けられている。対向するフランジ５５ａ、５６ａには同一軸上の透孔５８が形成されている。このため、この対の半割リング５５，５６をポール部材１ｂに嵌め、対向する透孔５８にボルトを差し込んで袋ナット締め（ボルト・ナット５９締め）することによって両リング５５、５６が締まって（縮径して）この接続締結金具５４がポール部材１ｂに固定される。ボルト・ナット締めに代えて、一方の透孔５８をタップねじ孔として、上記接続締結金具１０のように、そのねじ孔へのボルト締めで両リング５５、５６を締めても良い。
【００３５】
この実施形態の縦型介護用ポール装置Ａは以上の構成であり、その作用についてつぎに説明する。
今、病室や寝室、居間等におけるベッド近くやトイレ内の便器近くなどの床面Ｆと天井面Ｃの間にこの介護用ポール装置Ａを設置する場合、図１に示すように、上下の台座２１、３１の間隔（ポール１の自然長）が床面Ｆと天井面Ｃの間隔の前後（少し短い長さか、少し長くばね３３の収縮によって床面Ｆと天井面Ｃの間に入り得る長さ）として、この縦型介護用ポール装置Ａを床面Ｆと天井面Ｃの間に位置させる。
【００３６】
その状態で、図５に示すように、カバー２８を上方にずらし、ジャッキナット２４を回して回転防止コマ２５を上昇させ、他方（下側）のポール部材１ｂ（ポール１）を上方に持ち上げる。このポール１の上昇につれて弾性支持機構の摺動板３４がケーシング３２内のばね３３を収縮させながら上昇する。このとき、摺動板３４は、溝３４ａと突部（条）３２ａの嵌り合いによる摺動によって案内（ガイド）されるため、その上昇は安定するとともに雑音も生じ難い。
この作用によって、ばね３３の弾性力が高くなり、やがて、台座３１が天井面Ｃに強固に押し付けられてポール１が不動となる。
この後、ビス２５ｄをねじ込んで回転防止コマ２５をポール部材１ｂに固定してポール１の回転を防止する。このポール１の回転が防止されることによって、手摺り４０等の取付状態が安定する。
【００３７】
なお、必要であれば、ジャッキナット２４の下方にナット２３とは別のナットをねじ込んでおき、そのナットをねじ回してジャッキナット２４の下面に圧接してそれ以上の下降を阻止しても良い。両台座２１、３１は床面Ｆ及び天井面Ｃにビス止めすることができる。
このようにして設置された縦型介護用ポール装置Ａは、従来と同様にして使用する。
【００３８】
図１２には、他の実施形態の縦型介護用ポール装置Ａ１を示し、この介護用ポール装置Ａ１は、床面Ｆと天井面Ｃへの固定型であって、床固定具２０は同様の突張力調整機構を有して台座２１を床面Ｆにビスなどによって固定する。ポール１の上端は天井用の板状台座３１を固定し、その天井用台座３１を天井面Ｃにビス等によって固定する。
【００３９】
この実施形態の床固定具２０の台座２１は、図１４、図１５に示すように、鋼板製ベース板２１ａの中央にビス止めされた鋼板製固定板２１ｃを有し、その固定板２１ｃにボルト２２が溶接によって植設されている。ベース板２１ａは木製とすることができ、その形状も、円形、楕円形、星形等と任意である。
手摺り４０は図１２、図１３に示す円環状のものとし得る。そのポール１への取付は、円環状の手摺り４０の内側面から周囲等間隔のアーム４２の中心に上記締結金具（取付金具・接続金具）４１を設けてその締結金具４１でもって行う。この締結金具４１は、半割リング４３、４３の一端に半円板状取付板４８を溶接して有するとともに側面に三角状補強片４９を有する。手摺り４０が木製の無垢材であれば、手摺り４０にアーム４２の端をビス止めする。手摺り４０が鉄製パイプの場合は、手摺り４０にアーム４２の端をビス止めしたり、溶接したりする。この実施形態では溶接した。
【００４０】
この手摺り４０の取付は、アーム４２付の手摺り４０をポール１（１ｂ）に前もって嵌めておき、まず、ポール１の所要の高さに締結金具４１を締結して取付け、つぎに、その締結金具４１にアーム４２の中央部をボルト・ネット４６によって止める。締結金具４１をアーム４２に取り付けた状態で、手摺り４０をポール１に嵌めておいて、ポール１の所要高さで、その締結金具４１でもって手摺り４０をポール１に取付けても良い。このとき、アーム４２の中央部のボルト孔又は取付板４８のボルト孔を長孔４８ａとして両者のずれを吸収し得るようにする。この実施形態では取付板４８側を長孔４８ａとした。
この円環状手摺り４０は上記縦型介護用ポール装置Ａにも採用でき、一方、この縦型介護用ポール装置Ａ１にも図１、図９で示す手摺り４０を採用することもできる。手摺り４０の形状は、図９、図１２に示す物以外にも、後述の四角枠形等の任意の形状の物を採用できることは勿論である。
【００４１】
この実施形態においては、ジャッキナット２４に代えてアルミニウム製の柱体からなるジャッキコマ２４’がボルト２２にねじ込まれており、このジャッキコマ２４’は外周四方等間隔に孔２４ａを有している。この孔２４ａに棒状治具を入れてジャッキコマ２４’を回すことができる。孔２４ａの数は、等間隔に３個などと任意である。
ジャッキコマ２４’の上面は凹状となってその底面に滑性を有する受け板となる樹脂製滑性シート２４ｂが貼着されている。滑性を有する樹脂としては、ＭＣナイロン等を使用し得る。カバー２８’は円錐台状の鍔を有して他方（下側）のポール部材１ｂに嵌めてその軸方向に移動自在である。
このボルト２２、ジャッキコマ２４’等によって突張力調整機構が構成され、上記実施形態と同様に、カバー２８’を上方にずらし、ジャッキコマ２４’を回して上昇させ、他方のポール部材１ｂ（ポール１）を上方に持ち上げる。
【００４２】
この縦型介護用ポール装置Ａ１は、突張力調整機構２０によって上記と同様にして天井用台座３１を天井面Ｃに圧接させて床面Ｆと天井面Ｃとの間に介設する。しかし、突張力調整機構を省略して、ポール部材１ａと１ｂの伸縮（嵌合）度合いによってポール１の長さを調節して床面Ｆと天井面Ｃに取り付ける（介設する）こともできる。
この突張力調整機構２０は、図１６に示すように、回転防止コマ２５を設けることもできる。このとき、上記樹脂製回転防止コマ２５でポール部材１ｂの下端を受けることができて受け板２４ｂは省略し得る。
【００４３】
図１０に示す接続締結金具４１は、図１７に示す、各種態様の手摺り６０のポール１への取付けに採用することができる。このとき、取付板４４は、各種態様の手摺りに応じてその大きさや形状を変更できることは勿論である。
【００４４】
上記床用台座２１としては、図１８に示す、横長小判状としたり、図１９に示す、八角形台座としたり等、種々の形状を採用することができる。
上記天井用台座３１の形状も任意であり、例えば、図２０に示す、十字状等とし得る。この台座３１には上記弾性支持機構が付設されているが、その弾性支持機構を省略して図１２に示す縦型介護用ポール装置Ａ１に採用することができる。
なお、各部材（ポール１、台座２１、３１、カバー２８、２８’ケーシング３２、カバー３９等）に塗装を行う場合は、その塗装表面にパーカー処理を施すことは言うまでもない。また、その各部材はその機能を発揮する限りにおいて上記の材料に限定されないことは言うまでもない。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００４５】
Ａ、Ａ１  縦型介護用ポール装置
１  ポール
１ａ  一方（上側）のポール部材
１ｂ  他方（下側）のポール部材
１０  ポール部材の接続締結金具
１１  半割リング
１２  フランジ
１３  孔（ねじ孔）
１４  段差
１５  締結ボルト
２０  床固定具（突張力調整機構）
２１  床用台座
２１ａ  同台座のベース板
２１ｂ  同滑り止めシート（板）
２１ｃ  同鋼板製固定板
２２  ポール長さ調整用ボルト
２３、２３ａ、２３ｂ  ナット
２４  ジャッキナット（ジャッキコマ）
２４’  ジャッキコマ
２４ｂ  受け板（滑性シート）
２５  回転防止コマ
２５ａ  ガイド溝
２５ｂ  ガイド
２５ｃ  補強片
２５ｄ  ビス
２７  振れ止め用安定コマ
２８、２８’  カバー
３０  天井固定具（弾性支持機構）
３１  天井用台座
３２  ケーシング（筐体）
３２ａ  案内突条（突部）
３２ｂ  ケーシングの天板
３３  コイルばね
３４  摺動板
３４ａ  案内溝
４０、６０  手摺り
４１  手摺りの締結金具（取付金具）
４３  同締結金具の半割リング
４３ａ  同リングのフランジ
４４  同リングの取付板
４７  手摺りの取付板
５０  肘掛け
５１  肘掛けアーム
５２  肘掛けベース
５３  肘掛け取付板
５４  肘掛けの締結金具（取付金具）
５５、５６  同締結金具の半割リング
５５ａ、５６ａ  同リングのフランジ
５７  同リングの取付板
【図１】
0003215227.tif 000003
【図２】
0003215227.tif 000004
【図３】
0003215227.tif 000005
【図４】
0003215227.tif 000006
【図５】
0003215227.tif 000007
【図６】
0003215227.tif 000008
【図７】
0003215227.tif 000009
【図８Ａ】
0003215227.tif 000010
【図８Ｂ】
0003215227.tif 000011
【図８Ｃ】
0003215227.tif 000012
【図８Ｄ】
0003215227.tif 000013
【図９】
0003215227.tif 000014
【図１０】
0003215227.tif 000015
【図１１】
0003215227.tif 000016
【図１２】
0003215227.tif 000017
【図１３】
0003215227.tif 000018
【図１４】
0003215227.tif 000019
【図１５】
0003215227.tif 000020
【図１６】
0003215227.tif 000021
【図１７】
0003215227.tif 000022
【図１８】
0003215227.tif 000023
【図１９】
0003215227.tif 000024
【図２０】
0003215227.tif 000025